【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
フレキシブルファイルを作成するための方法であって、
前記フレキシブルファイルの一部として面オブジェクトを作成するステップであって、前記面オブジェクトは、前記フレキシブルファイルに関連する複数のコンテンツを整理する、ステップと、
第１のタイルオブジェクトを作成するステップであって、前記第１のタイルオブジェクトは、前記複数のコンテンツからコンテンツの第１のサブセットをグループにするために使用されるコンテナであり、前記第１のタイルオブジェクトは前記面オブジェクトに格納される、ステップと、
前記フレキシブルファイルのロードを最適化するための指示を受け取るステップと、
最適化するための前記指示を受け取ることに応答して、前記第１のタイルオブジェクトと関連する第１のクリップオブジェクトを作成するステップであって、該第１のクリップオブジェクトは、第１のコンテンツ項目への第１の複数の参照を含み、前記第１の複数の参照の各々は、第１のコンテンツ項目にリンクする、ステップと、
前記フレキシブルファイルを格納するステップと
を含む方法。
【請求項２】
請求項１に記載の方法であって、前記第１の複数の参照は、
絶対ＵＲＬと、
相対リンクと
を含み、前記絶対ＵＲＬおよび前記相対リンクは、第１のデータ項目を識別する、方法。
【請求項３】
請求項２に記載の方法であって、前記第１の複数の参照は、トークン化されたＵＲＬをさらに含み、前記トークン化されたＵＲＬは、前記第１のデータ項目を識別する、方法。
【請求項４】
請求項１に記載の方法であって、前記面オブジェクトは背景の画像を参照する、方法。
【請求項５】
請求項１に記載の方法であって、前記第１のタイルオブジェクトは、前記面オブジェクトに関連するディスプレイグリッドに位置する、方法。
【請求項６】
請求項１に記載の方法であって、前記第１のタイルオブジェクトは、前記第１のコンテンツ項目のタイプを識別する情報を含む、方法。
【請求項７】
請求項１に記載の方法であって、
前記第１のタイルオブジェクトと関連する第２のクリップオブジェクトを作成するステップ
をさらに含み、前記第２のクリップオブジェクトは、第２のコンテンツ項目への第２の複数の参照を含む、方法。
【請求項８】
請求項７に記載の方法であって、前記第１のタイルオブジェクトは、ディスプレイ上で、前記第１のクリップオブジェクトから前記第２のクリップオブジェクトへナビゲートするためのナビゲーションスタイルを識別する情報を含む、方法。
【請求項９】
請求項１に記載の方法であって、前記第１のコンテンツ項目はネットワーク上にある、方法。
【請求項１０】
請求項９に記載の方法であって、前記第１のクリップオブジェクトは、前記第１のコンテンツ項目の許可情報をさらに含む、方法。
【請求項１１】
請求項１に記載の方法であって、
第２のタイルオブジェクトを作成するステップであって、前記第２のタイルオブジェクトのコンテナは前記面オブジェクト内にある、ステップと、
前記第２のタイルオブジェクトと関連する第２のクリップオブジェクトを作成するステップであって、該第２のクリップオブジェクトは、コンテンツのコレクションへの第２の複数の参照を含む、ステップと
をさらに含む方法。
【請求項１２】
モンタージュファイルを作成するための方法であって、
前記モンタージュファイルの一部として面オブジェクトを作成するステップであって、前記面オブジェクトは、前記モンタージュファイルに関連する複数のコンテンツを整理する、ステップと、
第１のタイルオブジェクトを作成するステップであって、前記第１のタイルオブジェクトは、前記複数のコンテンツからコンテンツの第１のサブセットをグループにするために使用されるコンテナであり、前記第１のタイルオブジェクトは前記面オブジェクトに格納される、ステップと、
コンテンツのリクエストを最小にするための指示を受け取るステップと、
コンテンツのリクエストを最小にするための前記指示を受け取ることに応答して、前記第１のタイルオブジェクトと関連する第１のクリップオブジェクトを作成するステップであって、該第１のクリップオブジェクトは、第１のコンテンツ項目を含む、ステップと、
前記モンタージュファイルを格納するステップと
を含む方法。
【請求項１３】
請求項１２に記載の方法であって、
前記第１のタイルオブジェクトと関連する第２のクリップオブジェクトを作成するステップ
をさらに含み、前記第２のクリップオブジェクトは、第２のデータ項目を含む、方法。
【請求項１４】
請求項１２に記載の方法であって、
前記第１のタイルオブジェクトと関連する第２のクリップオブジェクトを作成するステップ
をさらに含み、前記第２のクリップオブジェクトは、第２のコンテンツ項目を含む、方法。
【請求項１５】
請求項１４に記載の方法であって、前記第１のタイルオブジェクト及び第２のタイルオブジェクトは、前記面オブジェクトに関連するグリッドに位置する、方法。
【請求項１６】
請求項１２に記載の方法であって、
第２のタイルオブジェクトを作成するステップであって、前記第２のタイルオブジェクトは前記面オブジェクト内にある、ステップと、
第２のクリップオブジェクトを作成するステップであって、該第２のクリップオブジェクトは、コンテンツのコレクションへの第２の複数の参照を含む、ステップと
をさらに含む方法。
【請求項１７】
請求項１１に記載の方法であって、前記第１のコンテンツ項目は、
文書と、
画像と、
ビデオと
のうちの１つを含む、方法。
【請求項１８】
少なくとも１つのプロセッサと、
コンピューター実行可能命令を記憶したメモリと
を含むシステムであって、前記コンピューター実行可能命令が前記少なくとも１つのプロセッサにより実行されると、前記システムはある方法を実行し、前記方法は、
モンタージュファイルの一部として面オブジェクトを作成するステップであって、前記面オブジェクトは、前記モンタージュファイルに関連する複数のコンテンツを整理する、ステップと、
第１のタイルオブジェクトを作成するステップであって、前記第１のタイルオブジェクトは、前記複数のコンテンツからコンテンツの第１のサブセットを第１のグループへとグループにするために使用されるコンテナであり、前記第１のタイルオブジェクトは前記面オブジェクトに格納される、ステップと、
前記第１のタイルオブジェクトに関連する第１のクリップオブジェクトを作成するステップであって、前記第１のクリップオブジェクトは、コンテンツの前記第１のサブセット内の第１のコンテンツ項目への第１の複数の参照を含む、ステップと、
前記第１のタイルオブジェクトと関連する第２のクリップオブジェクトを作成するステップであって、前記第２のクリップオブジェクトは、コンテンツの前記第１のサブセットからの第２のコンテンツ項目を含む、ステップと、
第２のタイルオブジェクトを作成するステップであって、前記第２のタイルオブジェクトは、前記複数のコンテンツからコンテンツの第２のサブセットを第２のグループへとグループにするために使用されるコンテナであり、前記第２のタイルオブジェクトは前記面オブジェクトに格納される、ステップと、
前記第２のタイルオブジェクトに関連する第３のクリップオブジェクトを作成するステップであって、前記第３のクリップオブジェクトは、コンテンツの前記第２のサブセット内の第３のコンテンツ項目への第２の複数の参照を含む、ステップと、
前記モンタージュファイルを格納するステップと
を含む、システム。
【請求項１９】
請求項１８に記載のシステムであって、前記第１の複数の参照は、
絶対参照と、
相対リンクと、
トークン化されたリンクと
を含み、前記絶対参照、前記相対リンクおよび前記トークン化されたリンクは、第１のデータ項目を識別する、システム。
【請求項２０】
請求項１８に記載のシステムであって、前記第１のコンテンツ項目はネットワーク上に格納される、システム。
【請求項２１】
請求項１８から２０のうちの何れか一項に記載のコンピューター実行可能命令を含むプログラム。